(57)【特許請求の範囲】
【請求項１】
積立装置と積立サーバを備える小銭積み立てシステムであって、
前記積立装置は、
貨幣種類の選択の命令を含むユーザ命令と入金識別子を入力するためのユーザインターフェース部であって入力された前記入金識別子を表示する前記ユーザインターフェース部と、
前記貨幣種類の選択の命令に基づいて決定される貨幣の種類に応じて、投入された小銭を識別する識別部と、
識別した前記小銭をカウントして前記入金識別子を含む入金情報を生成する入金管理部と、
生成された前記入金情報を前記積立サーバへ送信する情報管理部、
を備え、
前記積立サーバは、
データベース部と、
前記入金情報の受信と同時にユーザ情報が受信されたか否かを判断し、前記ユーザ情報が前記入金情報と同時に受信されていない場合には前記入金情報に対応する積立コードを生成し、前記入金情報から取り出した前記入金識別子を、生成した前記積立コードにマッピングすることにより前記データベース部に登録して保存する積立コード管理部と、
前記入金識別子がマッピングされた前記積立コードを前記積立装置に提供するサーバ通信部、
を備え、
前記積立装置は、さらに、
提供された前記積立コードを表示する入金領収書をユーザに提供する出力部、
を備え、
前記積立サーバは、さらに、
前記積立装置から出力された前記積立コード及び前記入金識別子並びに前記ユーザ情報を入力するように構成され、入力された前記積立コードと前記入金識別子と前記ユーザ情報とを前記積立サーバに送信するように構成されたユーザインターフェースを備えるユーザ端末から、前記ユーザ情報と前記積立コードが同時に受信された場合に、受信した当該積立コードと、前記積立コード管理部が生成した前記積立コードとが一致するか、並びに、受信した入金識別子と、前記データベース部に登録された前記入金識別子とが一致するか、を判断する一致判断部と、
前記一致判断部により、受信した前記積立コードと前記入金識別子に関してすべて一致する場合に、前記ユーザ端末から受信した前記ユーザ情報に対応するユーザ口座に、一致が認められた前記積立コードに対応する前記入金情報に該当する小銭を積み立てる積立管理部、
を備える
小銭積立システム。
【請求項２】
前記積立管理部は前記ユーザ端末からユーザ情報及び積立貨幣の種類に関する情報を受信し、
前記ユーザ情報から判断されるユーザ口座に前記小銭を前記積立貨幣の種類に変換して積み立てることを特徴とする、請求項１に記載の小銭積立システム。
【発明の詳細な説明】
【技術分野】
【０００１】
本発明は、小銭積立システム及びその方法に関し、より詳細には、ユーザが使用済み小銭を積立サーバの割り当てられたユーザ口座に積み立てるものに関する。更に本発明は、小銭を積立装置に投入する際、入金情報を積立サーバへ送信し、ユーザは入金情報に該当する積立コードを積立サーバから提供してもらい、積立コードを用いていつでもどこでも小銭を割り当てられたユーザ口座に積み立てることができ、且つ使用済み小銭を電子マネーで積み立てして後ほどユーザが所望する種類の貨幣に自在に変換して使用することができる小銭積立システムに関するものである。
【背景技術】
【０００２】
クレジットカードの使用が増加するにつれ、現金の使用が比較的減少している。現金で商品やサービスを購入した後、釣銭で硬貨を返してもらった時、その硬貨を財布やポケットに保管したまま移動しなければならないので、多数の人は硬貨を返してもらうことを不便に思う。
【０００３】
また、現金決済の際、硬貨が発生するたびに、硬貨を財布ではない空間に保管する場合がやむを得ず頻繁に起こり、これは多量の硬貨がなくなる原因となる。硬貨１枚あたりの通貨発行コストが該当硬貨１枚の額面価格より高いのが一般的であり、小銭の損失による硬貨の発行が増え続けていることにより、不要な通貨の発行コストがかさむという問題点も生じる。
【０００４】
特に、海外旅行の一般化や世界経済の活性化にともなって外国へ旅行や出張に行く人口が毎年増加している。海外旅行時、ユーザは外国で使用する外貨を国内で予め両替するか、該当国で両替して使用する。更に国内へ帰国する時は、該当国で使用済み海外硬貨を所持して帰国する場合が殆どである。
【０００５】
海外硬貨の場合、国内又は海外の銀行で韓国ウォンに両替できるが、韓国ウォンに両替可能な国の硬貨が限られており、海外硬貨を韓国ウォンに両替するのに高い手数料を支払わなければならない不具合が生じる。
【０００６】
つまり、旅行者が所持している日本円や米ドル等の硬貨が回収できる現実的方法が銀行にしかない。しかしながら、銀行の場合、為替レートの５割にあたる金額を交換してくれる。これは硬貨の場合、該当国に再輸出するのに費やされる費用や保険費用によって輸出コストが約７割で、交換金額より高いコストがかかるため、銀行では海外硬貨の交換を避けている。このため、ユーザは通常の使用済み外貨の小銭を両替するよりは家に保管するか、出国場に設置されている募金箱にやむを得ず寄付してしまう。
【０００７】
近年、モバイル又はインターネットで一度の申請で訪問両替してくれるビジネスモデルが提案されている。海外硬貨を所持している人は、まず、該当モバイルアプリケーションで海外硬貨の国名と金額、自宅の住所、携帯電話番号を入力すれば、申請した顧客の住所を郵便番号で自動分類して地域別両替の申請件数と金額を管理し、特定地域の顧客の注文が一定のレベル以上超えた時、該当顧客に訪問両替の日付を知らせ、一度に海外硬貨を回収するサービスである。しかしながら、このようなビジネスモデルの場合にも為替レートの５割にあたる金額しか交換できず、特定地域で両替を申請した顧客が一定の人数以上であるか、一定の金額を超えるまで待たなければならない不具合がある。
【発明の概要】
【発明が解決しようとする課題】
【０００８】
本発明は、上述した従来技術が有する問題点を解決するためのものである。本発明が達成しようとする第１の目的は、ユーザが使用済み小銭を積立サーバの割り当てられたユーザ口座に積み立てる小銭積立システムを提供することである。
【０００９】
本発明が達成しようとする第２の目的は、積立装置に小銭を投入して入金情報を積立サーバへ送信し、ユーザは入金情報に該当する積立コードを積立サーバから提供してもらい、該積立コードを用いていつでもどこでも小銭を割り当てられたユーザ口座に小銭を積み立てることができる小銭積立システムを提供することである。
【００１０】
本発明が達成しようとする第３の目的は、使用済み小銭を電子マネーで積み立てし、後ほどユーザが所望する種類の貨幣に自在に変換して使用することができる小銭積立システムを提供することである。
【００１１】
本発明を達成しようとする第４の目的は、小銭を積み立てる際、ユーザが入力した入金識別子と積立サーバが提供する積立コードが一致するか否かで安全に小銭を積み立てることができる小銭積立システムを提供することである。
【課題を解決するための手段】
【００１２】
本発明の目的を達成するために、本発明に係る小銭積立システムは積立装置及び積立サーバを備え、積立装置は投入された小銭の入金情報を生成して入金情報を積立サーバへ送信する。
【００１３】
積立サーバは、入金情報を備える積立コードを生成して積立コードを積立装置へ送信し、ユーザ端末から受信した積立コードと生成した積立コードが一致するか否かを判断してユーザに割り当てられたユーザ口座に小銭を積み立てることを特徴とする。
【００１４】
好ましくは、本発明に係る積立装置は投入された小銭を識別する識別部と、識別した小銭をカウントして入金情報を生成する入金管理部と、入金情報を積立サーバへ送信し、積立サーバから入金情報を備える積立コードを受信する場合、積立コードをユーザに提供する情報管理部とを含むことを特徴とする。
【００１５】
ここで、積立装置はユーザの命令を入力するためのユーザインターフェース部を更に含み、識別部はユーザインターフェース部を介して入力された貨幣種類の選択の命令に従って貨幣の種類を決め、該貨幣の種類に応じて投入された小銭を識別することを特徴とする。
【００１６】
好ましくは、入金管理部は、ユーザインターフェース部を介して入力された６桁以下の数字又は文字で構成される入金識別子を受信し、入金識別子及びカウントした小銭の総額を備える入金情報を生成することを特徴とする。
【００１７】
ここで情報管理部は積立コードを備える入金領収証を出力してユーザに提供することを特徴とする。
【００１８】
好ましくは、本発明に係る積立サーバは入金情報を受信する場合、入金情報に該当する積立コードを生成し、入金情報から取り出した入金識別子を、生成した積立コードにマッピングによりデータベース部に登録して保存する積立コード管理部と、ユーザ端末から受信した積立コードと生成した積立コードが一致するか否か、並びにユーザ端末から受信した入金識別子と積立コードにマッピングされた入金識別子が一致するか否かを判断する一致判断部と、積立コードと入金識別子がすべて一致する場合、ユーザ口座に小銭を積み立てる積立管理部とを含むことを特徴とする。
【００１９】
ここで、積立管理部は、ユーザ端末からユーザ情報と積立貨幣の種類に関する情報を受信し、ユーザ情報から判断されるユーザ口座に小銭を積立貨幣の種類に変換して積み立てることを特徴とする。
【発明の効果】
【００２０】
本発明の小銭積立システムによれば次のような効果が得られる。
【００２１】
本発明によれば、小銭積立システムの第１の効果は、ユーザが使用済み小銭を積立サーバの割り当てられたユーザ口座に積み立てることにより、ユーザは余った小銭を便利、且つ容易に積み立てて使用することができる。
【００２２】
小銭積立システムの第２の効果は、積立装置に小銭を投入して入金情報を積立サーバへ送信し、ユーザは入金情報に該当する積立コードを積立サーバから提供してもらうことにより、積立コードを用いていつでもどこでも小銭を割り当てられたユーザ口座に積み立てることができる。
【００２３】
小銭積立システムの第３の効果は、使用済み小銭を電子マネーに積み立てし、ユーザが積立サーバを介して変換したい貨幣の種類を選択することにより、必要な時点でユーザが所望する種類の貨幣に自在に変換して使用することができる。
【００２４】
小銭積立システムの第４の効果は、本発明に係る小銭積立システムは、小銭を積み立てする際、ユーザが入力した入金識別子と積立サーバが提供する積立コードが一致するか否かを判断して小銭を積み立てることにより、ユーザが積立コードを紛失しても、第三者の違法な盗用を防ぐこと、且つ安全に小銭を積み立てることができる。
【図面の簡単な説明】
【００２５】
【図１】図１は、本発明の実施形態の一例に係る小銭積立システムを説明するための図である。
【図２】図２は、本発明に係る積立装置の一例を説明するための機能ブロック図である。
【図３】図３は、本発明に係る積立サーバの一例を説明するための機能ブロック図である。
【図４】図４は、本発明の実施形態の一例に係る積立サーバで小銭を積み立てる方法を説明するためのフローチャートである。
【図５】図５は、積立装置で入金情報を生成するユーザインターフェース画面の一例を示す。
【図６】図６は、積立サーバから積立装置に提供する積立コードの一例を示す。
【図７】図7は、積立装置に活性化されるユーザインターフェース画面の一例を示す。
【図８】図８は、小銭を積み立てるために、積立サーバからユーザ端末に提供するユーザインターフェース画面の一例を示す。
【発明を実施するための形態】
【００２６】
本発明の説明に使用される技術的用語は、単に特定の実施形態を説明するために使用されたもので、本発明を限定するものではない。更に本発明で使用された技術的用語は、本発明の属する技術分野における通常の知識を有する者であれば一般的に理解されるのと同一の意味を有する。尚、別に異なる意味に定義しない限り、過剰に包括的な意味に解釈されたり、縮小された意味で解釈されない。また、本発明における技術的用語が本発明の思想を正確に表現できない誤った技術的用語である場合には、当業者が正しく理解できる技術的用語に置き換えて理解されるべきである。
【００２７】
更に、本発明で使用される単数の表現は文脈上明白に異なる意味ではない限り、複数の表現を含む。本明細書において、「構成される」又は「含む」などの用語は、発明に記載された多数の構成要素又は多数のステップを必ずしも全て含むものに解釈されてはならず、そのいずれか一部の構成要素、若しくは一部のステップは含まれない場合もあり、又は追加的な構成要素、若しくはステップを更に含むことができるもので解釈されるべきである。
【００２８】
また、添付された図は本発明の思想を容易に理解し得るようにするためのものであって、添付された図により本発明の思想が制限されるもので解釈されてはならない。
【００２９】
以下、添付した図を用いて本発明に係る小銭の積立方法及びそのシステムについてより具体的に説明する。
【００３０】
図１は、本発明の実施形態の一例に係る小銭積立システムを説明するための図である。
【００３１】
図１を用いてより具体的に説明すると、ネットワーク１０には、積立装置１００と積立サーバ２００、及びユーザが所持するユーザ端末３０が接続されている。ここで、ネットワーク１０は、積立装置１００と積立サーバ２００の間でデータを送受信したり、ユーザ端末３０と積立サーバ２００の間でデータを送受信したりできる多様な種類の有線又は無線のネットワークを用いることができる。
【００３２】
積立装置１００は小銭を回収する場所に設置される装置で、例えば多数の人が利用する百貨店、劇場等であるか、釣銭が発生するショッピングセンターやコンビニ等、空港や港湾の出国場に設置され、該当国を出るユーザが所持している外貨の小銭を回収するための場所に設けられる。積立装置１００はユーザが所持している小銭の入金情報を生成してネットワーク１０を介して積立サーバ２００へ送信し、積立サーバ２００からネットワーク１０を介して受信した積立コードをユーザに出力する。ここで、積立コードは入金情報を備え、好ましくは、積立コードは入金情報を備えるＱＲコード（登録商標）、バーコード、数字と文字の組み合わせからなる積立識別子などが用いられる。
【００３３】
ユーザ端末３０はユーザが所持し、情報を送信したり、受信した情報を出力したりすることができるスマートフォン又はノートパソコン等が用いられる。ユーザは積立コードが記載されている領収証を積立装置１００から提供してもらい、ユーザが便利な時間や場所でユーザ端末３０を利用して積立サーバ２００に接続し、積立コードを積立サーバ２００へ送信して積立コードの入金情報に該当する小銭をユーザ口座に積み立てる。
【００３４】
ユーザは、積立サーバ２００のユーザ口座に積み立てられた金額を貯めて置き、その後、積立金額で後ほど所望するアイテムを購入したり、コミュニティなどの周辺の知人らにプレゼントしたり、所望する貨幣の種類に変換したりして使用することができる。
【００３５】
図２は、本発明に係る積立装置の一例を説明するための機能ブロック図である。
【００３６】
図２を用いてより詳細に説明すると、ユーザインターフェース部１１０を介して、積み立てしようとする貨幣の種類を選択するためのユーザの選択命令が入力される場合、識別子１３０はユーザの選択命令に従って選択された貨幣の種類に基づいて投入口に投入される貨幣を識別する。ここで、ユーザインターフェース部１１０を介して国内に一般的に使用される貨幣が通常使用できるが、本発明が適用される分野によって積立装置が出国場に配置される場合、多様な国の貨幣を選択することができる。更に直ちに使用しない文化商品券、百貨店商品券なども貨幣の一例として選択することができ、これらの文化商品券、百貨店商品券など小口の有価証券も小銭のように後ほど使用するために積立装置に積み立てることができる。
【００３７】
入金管理部１５０は、識別された小銭をカウントして投入された全小銭の総額を計算し、小銭の総額を備える入金情報を生成する。入金情報は出力部１８０を介してユーザに出力され、ユーザは出力された入金情報を確認することができる。
【００３８】
情報管理部１７０はユーザによって確認された入金情報を通信部１９０を介して積立サーバへ送信し、積立サーバから積立情報を受信する場合は受信した積立情報を出力部１８０を介してユーザに出力する。
【００３９】
小銭を積み立てる一例として、ユーザインターフェース部１１０を介してユーザＩＤ、パスワードなどのユーザ情報を直接積立装置に入力することができ、情報管理部１７０は入金情報と一緒にユーザ情報を積立サーバへ送信することができる。このような場合、情報管理部１７０は積立サーバからユーザ情報に割り当てられたユーザの口座情報、積立金額、総累積積立金額などの積立情報を受信し、受信した積立情報を出力部１９０を介してユーザに出力することができる。図７（ａ）は小銭を積み立てる一例であって、ユーザ情報を入力するために積立装置に活性化されるユーザインターフェース画面の一例を示し、図７（ｂ）はユーザ情報に基づいて積立サーバから受信した積立情報を出力するユーザインターフェース画面の一例を示す。
【００４０】
小銭を積み立てる他の例として、ユーザは小銭を積み立てるために積立装置にユーザ情報を直接入力する必要がなく、積立サーバから入金情報を備える積立コードを受信する場合、受信した積立コードを出力部１９０を介してユーザに出力することができる。この場合、ユーザは後ほどユーザ端末を介してユーザ情報と積立コードを積立サーバへ送信し、ユーザ情報から検索されるユーザ口座に一致する積立コードの入金情報に該当する小銭を積み立てることができる。
【００４１】
好ましくは、小銭を積み立てる他の例において、ユーザはユーザインターフェース部１１０を介して数字又は文字で構成される入金識別子を入力し、入金管理部１５０は入金識別子を備える入金情報を生成する。
【００４２】
図３は、本発明に係る積立サーバの一例を説明するための機能ブロック図である。
【００４３】
図３を参考により詳細に説明すると、サーバ通信部２１０を介して積立装置から入金情報を受信する場合、積立管理部２３０は入金情報と一緒にユーザ情報を受信したかを判断する。入金情報と同時にユーザ情報を受信する場合、ユーザ情報に基づいてデータベース部２５０でユーザ情報に割り当てられたユーザ口座を検索し、該ユーザ口座に入金情報に該当する小銭を積み立てる。
【００４４】
しかし、積立管理部２３０でユーザ情報が入金情報と同時に受信されていないと判断される場合、積立コード管理部２７０は入金情報に該当する積立コードを生成し、生成した積立コードと入金情報をデータベース２５０にマッピングにより登録して保存する。好ましくは、積立コード管理部２７０は積立装置から受信した入金情報のうち、入金識別子を取り出し、該入金識別子を生成した積立コードにマッピングによりデータベース２５０に登録して保存する。
【００４５】
一致判断部２９０はサーバ通信部２１０を介してユーザ端末から積立コードとユーザ情報を受信する場合、一致判断部２９０はデータベース２５０でユーザ端末から受信した積立コードに一致する積立コードを検索する。好ましくは、一致判断部２９０はサーバ通信部２１０を介してユーザ端末から積立コードと一緒に入金識別子に関する情報を受信する。更に好ましくは、一致判断部２９０は、ユーザ端末から受信した積立コードと一致する積立コードにマッピングされた入金識別子とユーザ端末から受信した入金識別子が互いに一致するかを判断する。
【００４６】
積立管理部２３０は、積立コードと入金識別子が全て一致する場合、ユーザ情報に該当するユーザ口座をデータベース部２５０で検索し、検索したユーザ口座に積立コードの入金情報に該当する小銭を積み立てる。
【００４７】
図４は、本発明の実施形態の一例に従って積立サーバで小銭を積み立てる方法を説明するためのフローチャートである。
【００４８】
図４を用いてより具体的に説明すると、積立装置からユーザが投入した小銭の入金情報を受信する（Ｓ１１０）。図５は、積立装置で入金情報を生成するユーザインターフェース画面の一例を示している。図５（ａ）に示すようにユーザは貨幣の種類がディスプレイされるユーザインターフェースの画面を介して先に投入したい貨幣の種類を選択する。貨幣の種類が選択された後、選択した貨幣の種類の小銭が投入される場合、投入される積立装置は小銭を識別した後、図５（ｂ）に示すように、入金情報を生成する。入金情報には貨幣の種類、総入金額、第三者の違法な盗用を防ぐための入金識別子を含むことができる。ユーザが入金情報を出力しているユーザインターフェース画面を介して入金情報を確認する場合、該入金情報が積立装置から積立サーバに送信される。
【００４９】
再び図４を参考に説明すると、入金情報を受信する場合、入金情報に該当する積立コードを生成し、該積立コードを入金情報にマッピングによりデータベース部に登録して保存する（Ｓ１３０）。積立コードはＱＲコード、バーコード、積立識別子などで生成してもよい。図６は積立サーバから積立装置に提供する積立コードの一例を示す。図６（ａ）に示すように、積立サーバは入金情報に該当する積立コードをＱＲコードに生成して積立装置に提供するか、図６（ｂ）に示すように、積立サーバは入金情報に該当する積立コードを文字と数字で構成される積立識別子で生成して積立装置に提供することができる。
【００５０】
ユーザ端末からユーザ情報を受信する場合（Ｓ１５０）、受信したユーザ情報に該当するユーザ口座がデータベース部に検索されるか判断する（Ｓ１６０）。ユーザ情報に該当するユーザ口座がデータベース部から検索されない場合、ユーザ端末に新たなユーザ情報を要請することができる。
【００５１】
ユーザ情報に該当するユーザ口座を検索した場合、ユーザ端末から受信した積立コードと入金識別子に一致する積立コードと入金識別子がデータベース部に登録保存されているか判断する（Ｓ１７０）。積立サーバは、積立装置から受信した入金情報から入金識別子を取り出し、該入金識別子を生成した積立コードにマッピングにより登録して保存する。更にユーザ端末から受信した積立コードとデータベース部に登録保存された積立コードが相互に一致するか、更に一致する積立コードにマッピングされた入金識別子とユーザ端末から受信した入金識別子が互いに一致するか否かを判断する。このように積立コードが互いに一致しても入金識別子が一致するか否かを更に考慮することによって、積立装置から積立コードを印刷した領収書を提供してもらった後、ユーザが領収証を紛失したり、第三者が積立コードを盗用しようとしたりしても入金識別子を介して第三者がユーザの小銭を違法に積み立てて使用することを防ぐことができる。
【００５２】
積立コードと入金識別子が全て一致する場合、検索したユーザ口座に入金情報の小銭を積み立てる（Ｓ１９０）。
【００５３】
図８は、小銭を積み立てるために、積立サーバからユーザ端末に提供するユーザインターフェース画面の一例を示す。図８（ａ）に示すように、ユーザインターフェース画面を介してユーザのＩＤ、パスワード等のユーザ情報を入力する。図８（ｂ）に示すように、ユーザインターフェース画面を介してユーザが積立コードを入力し、入金識別子を入力する。図８（ｃ）に示すように、ユーザインターフェース画面を介して積立サーバから受信したユーザの積立情報を出力する。
【００５４】
好ましくは、小銭が外貨であり、外貨の小銭を積立サーバに積み立てる際、積立サーバは入金情報の小銭をサイバーの基準為替レートに応じて電子マネーに変換して積み立てする。サイバーの基準為替レートは、ユーザ情報によるユーザレベルと実際の基準為替レートに応じて相違に計算してもよい。つまり、ユーザレベルを上、中、下に分けて、上位レベルであるほどサイバーの基準為替レートを高く計算することができる。
【００５５】
例えば、米ドルを基準通貨として用いて、1米ドルをサイバーの基準為替レート１０に計算する場合、中国元の小銭を積み立てる際、積立時点で米ドルと中国元の実際の為替レートとユーザレベルによる加重値を考慮して、サイバーの為替レートを計算することができる。
【００５６】
本発明において、小銭の貨幣の種類に関係なく、すべて同一の電子マネーに両替して積み立てることができる。更に電子マネーに両替して積み立てることにより、ユーザは電子マネーを使用する他のサーバで、電子マネーを介してアイテムを購入したり、電子マネーを知人にプレゼントしたり、後ほどユーザが両替したい貨幣の種類と両替したい時点の実際為替レートを考慮してユーザが積み立てられた電子マネーを所望する貨幣の種類で容易に使用したりすることができる。
【００５７】
一方、上述した本発明の実施形態は、コンピュータで実行できるプログラムで作成可能であり、コンピュータで読む取ることができる記録媒体を利用して上記プログラムを動作させる汎用デジタルコンピュータで実現してもよい。
【００５８】
上記コンピュータで読み取ることができる記録媒体は、マグネチック保存媒体（例えば、ロム、フロッピーディスク、ハードディスクなど)、光学的読み取り媒体（例えば、ＣＤ−ＲＯＭ、ＤＶＤなど)、及びキャリア波（例えば、インターネットを介した伝送）のような保存媒体を含む。
【００５９】
本発明は図に示した実施形態に基づいて説明したが、これは例示的なものに過ぎず、本発明の属する技術の分野における通常の知識を有する者なら、特許請求の範囲に記載した本発明の本質的な特性から外れない範囲で多様な修正及び変形が可能である。しかし、このような修正及び変形構造は全て本発明の権利範囲内に含まれることを明らかにする。なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６０】
１００…積立装置
１１０…ユーザインターフェース部
１５０…入金管理部
１７０…情報管理部
２００…積立サーバ
２３０…積立管理部
２７０…積立コード管理部
２９０…一致判断部
３０…ユーザ端末
【図１】
0006931155.tif 000002
【図２】
0006931155.tif 000003
【図３】
0006931155.tif 000004
【図４】
0006931155.tif 000005
【図５】
0006931155.tif 000006
【図６】
0006931155.tif 000007
【図７】
0006931155.tif 000008
【図８】
0006931155.tif 000009